(57)【要約】【課題】従来構成に比べて器体内に電気部品を組み込む作業が容易であって、かつ器体の内周面の加工が不要な防爆器具および防爆照明器具を提供する。【解決手段】筒状であって軸方向の両端面が開口した器体３と、器体３の軸方向に沿って器体３に差し込まれることにより器体３の軸方向の両端面を閉塞する一対の蓋体４と、両蓋体４に結合されることにより両蓋体４の間を連結する連結部材１１とを備えた防爆器具１において、電気部品を取り付けた取付板１６が器体３内に収納されている。取付板１６は、長手方向の一端部に一方の蓋体４に対して固定される固定部１８を有し、かつ長手方向の他端部に他方の蓋体４の嵌合溝２２に嵌合する嵌合部２３を有する。【選択図】図１
2006244964.tif 000002
【特許請求の範囲】
【請求項１】
筒状であって軸方向の両端面が開口した器体と、器体の軸方向の両端面を閉塞する一対の蓋体と、器体の外側で両蓋体に結合されて両蓋体の間を連結する連結部材と、電気部品が取り付けられた状態で器体の内部に収納される取付板とを備え、少なくとも一方の蓋体と器体とは器体の軸方向に挿抜可能であって、取付板は、器体の軸方向において器体と挿抜可能な一方の蓋体に固定される固定部と、両蓋体が器体に取り付けられた状態で他方の蓋体に設けた嵌合溝に嵌合する嵌合部とを有することを特徴とする防爆器具。
【請求項２】
前記蓋体は、前記器体の内周面に沿って延出された挿入部と、器体の外周面に沿って延出された包囲部とを有し、挿入部と包囲部との間に器体の軸方向の端部が差し込まれる差込溝を有することを特徴とする請求項１記載の防爆器具。
【請求項３】
請求項１または請求項２に記載の防爆器具と、ランプおよびランプを保持するソケットを収納するランプ容器とを備え、前記電気部品はランプを点灯させる点灯装置を含み、前記連結部材はランプからの光を反射する反射板を兼ねていることを特徴とする防爆照明器具。
【請求項４】
前記器体と前記ランプ容器とは、共に円筒状に形成されていることを特徴とする請求項３記載の防爆照明器具。
【請求項５】
前記電気部品は、交流電源から電力供給される蓄電池と、交流電源の停電時に蓄電池を電源として前記点灯装置を駆動する制御部と、制御部の動作にかかわらず蓄電池を電源として点灯装置を動作させる点検モードに切り換える点検スイッチとを備えることを特徴とする請求項３または請求項４記載の防爆照明器具。
【発明の詳細な説明】
【技術分野】
【０００１】
本発明は、主として可燃性の気体が存在する可能性のある場所で主に使用される防爆器具および防爆照明器具に関するものである。
【背景技術】
【０００２】
一般に、石油・化学工場、製薬工場、塗装工場などのように可燃性の気体がよく扱われる場所では、電気部品を備える器具として防爆構造を採用した防爆器具が用いられている。
【０００３】
この種の防爆器具は、密封された容器の内部に電気部品が収納される構成を有することにより、容器内に外から入るかまたは容器の内部で発生した可燃性ガスによって容器内で爆発が生じても容器が破壊されることはなく、かつ容器の外部の可燃性ガスに引火することもない（たとえば特許文献１参照）。特許文献１に記載の防爆器具は、点灯装置などの電気部品を容器内に収納し、ランプおよびソケットを収納するランプ容器とともに防爆照明器具を構成するものである。
【０００４】
容器５としては、図９に示すように、筒状であって軸方向の両端面が開口した器体３の内部に電気部品（図示せず）を収納し、一対の蓋体４によって器体３の軸方向の両端面を閉塞して成るものがある。ここで、器体３の内部で爆発が生じることにより図１０（ｂ）に示す矢印の向きに圧力がかかっても、蓋体４が器体３から外れることがないように、器体３の軸方向の両端部および両蓋体４にねじ溝を形成し器体３と蓋体４とを螺合させている。図１０では、器体３の軸方向の一端部においては外周面、他端部においては内周面にそれぞれねじ溝が形成されている。
【特許文献１】特開平４−７２４１９号公報（第１−２頁、図４）
【発明の開示】
【発明が解決しようとする課題】
【０００５】
ところで、上述した防爆器具では、器具を組み立てる際に器体３内に電気部品を組み込む作業が必要であるが、筒状に形成された器体３内に電気部品を配置しかつ固定することは容易でない。また、器体３の内周面においてはたとえば溝などを設けて電気部品を固定可能な構造とする必要があるが、器体３の内周面の加工は容易でない。
【０００６】
本発明は上記事由に鑑みて為されたものであって、従来構成に比べて器体内に電気部品を組み込む作業が容易であって、かつ器体の内周面の加工が不要な防爆器具および防爆照明器具を提供することを目的とする。
【課題を解決するための手段】
【０００７】
請求項１の発明では、筒状であって軸方向の両端面が開口した器体と、器体の軸方向の両端面を閉塞する一対の蓋体と、器体の外側で両蓋体に結合されて両蓋体の間を連結する連結部材と、電気部品が取り付けられた状態で器体の内部に収納される取付板とを備え、少なくとも一方の蓋体と器体とは器体の軸方向に挿抜可能であって、取付板は、器体の軸方向において器体と挿抜可能な一方の蓋体に固定される固定部と、両蓋体が器体に取り付けられた状態で他方の蓋体に設けた嵌合溝に嵌合する嵌合部とを有することを特徴とする。
【０００８】
この構成によれば、電気部品が取り付けられた取付板が蓋体に固定されていることによって、蓋体を器体に取り付けるだけで電気部品が蓋体を介して器体に取り付けられることになるから、従来構成に比べて器体内に電気部品を組み込む作業が容易になり、しかも、器体の内周面において電気部品を固定するための加工が不要になる。また、蓋体を器体の軸方向に組み合わせるだけで器体に蓋体を取り付けられるようにしながらも、両蓋体を連結部材により連結しているから蓋体が器体から外れることはない。
【０００９】
請求項２の発明は、請求項１の発明において、前記蓋体が、前記器体の内周面に沿って延出された挿入部と、器体の外周面に沿って延出された包囲部とを有し、挿入部と包囲部との間に器体の軸方向の端部が差し込まれる差込溝を有することを特徴とする。
【００１０】
この構成によれば、器体と蓋体とで囲まれた空間内で爆発が生じたとしても、器体の軸方向の端部は挿入部と包囲部とに挟まれることにより変形が防止されているので、器体と蓋体との間に隙間が生じることはない。
【００１１】
請求項３の発明は、請求項１または請求項２に記載の防爆器具と、ランプおよびランプを保持するソケットを収納するランプ容器とを備え、前記電気部品はランプを点灯させる点灯装置を含み、前記連結部材はランプからの光を反射する反射板を兼ねていることを特徴とする。
【００１２】
この構成によれば、連結部材と反射板とを兼用しているので、部品点数の増加を抑制でき、防爆照明器具の組み立てが比較的簡単になるという利点がある。
【００１３】
請求項４の発明は、請求項３の発明において、前記器体と前記ランプ容器とが、共に円筒状に形成されていることを特徴とする。
【００１４】
この構成によれば、器体における軸方向の端面が円形状になり、蓋体が密閉する部位に角がないので、応力集中が生じず、器体と蓋体とで囲まれた空間の密封性が比較的高くなる。また、器体とランプ容器との形状を揃えたことにより見映えが良くなるという利点もある。
【００１５】
請求項５の発明は、請求項３または請求項４の発明において、前記電気部品が、交流電源から電力供給される蓄電池と、交流電源の停電時に蓄電池を電源として前記点灯装置を駆動する制御部と、制御部の動作にかかわらず蓄電池を電源として点灯装置を動作させる点検モードに切り換える点検スイッチとを備えることを特徴とする。
【００１６】
この構成によれば、停電時にランプを点灯させることができる非常灯や誘導灯としての機能を防爆照明器具に付与することができる。
【発明の効果】
【００１７】
本発明は、電気部品が取り付けられた取付板が蓋体に固定されていることによって、蓋体を器体に取り付けるだけで電気部品が蓋体を介して器体に取り付けられることになるから、従来構成に比べて器体内に電気部品を組み込む作業が容易になり、しかも、器体の内周面において電気部品を固定するための加工が不要になるという利点がある。また、蓋体を器体の軸方向に組み合わせるだけで器体に蓋体を取り付けられるようにしながらも、両蓋体を連結部材により連結しているから蓋体が器体から外れることはない。
【発明を実施するための最良の形態】
【００１８】
本実施形態では、点灯装置などを有した防爆器具と、ランプおよびソケットを収納するランプ容器とを備えた防爆照明器具について説明する。ここでは、直管形の蛍光ランプを収納するランプ容器を２個備えた２灯型の防爆照明器具を例示する。
【００１９】
本実施形態の防爆照明器具は、図２に示すように、天井面に取り付けられる一対の吊具２によって天井から吊下される。以下では、防爆照明器具が天井から吊下された状態を示す図２（ａ）の上下左右を上下左右として説明する。
【００２０】
防爆器具１は、図３に示すように、アルミニウムを用いて押出成形により成形される左右方向（軸方向）の両端面が開口した円筒状の器体３と、器体３の左右各端面をそれぞれ密閉する一対の蓋体４とで構成される容器５を備え、この容器５内にランプ６を点灯させる点灯装置などの電気部品７を収納して成る。容器５は、ランプ６の長手方向である軸方向に長く形成されている。
【００２１】
各蓋体４は同形状であってそれぞれ円筒状に形成されており、軸方向における器体３と反対側の一端面が後述するエンドキャップ１３により閉塞されている。さらに、蓋体４の軸方向におけるエンドキャップ１３と反対側の一端部からは、器体３の左右各端部に挿入可能な円筒状の挿入部８が突出しており、器体３の軸方向において蓋体４と器体３とが挿抜可能に構成されている。挿入部８は、外径が器体３の内径に等しく設定されており、器体３に挿入された状態で器体３との間に隙間を生じない。さらに、挿入部８の外周面に取着されたＯリング９によって容器５の密封性を高めている。また、各蓋体４の上端部には吊具２が連結される吊具用台１０がそれぞれ突設されており、各蓋体４の下端部には後述する連結部材１１に蓋体４を結合するための一対の結合台１２がそれぞれ突設されている。結合台１２は、図２（ｂ）の左右両側方にそれぞれ突出する形状であって、上下方向に貫通する固定孔３２が左右方向に２個ずつ並設されている。連結部材１１と蓋体４との結合については後述する。
【００２２】
容器５内には、点灯装置の他に、交流電源から電力供給される蓄電池と、交流電源の停電時に蓄電池を電源として点灯装置を駆動する制御部と、制御部の動作にかかわらず蓄電池を電源として点灯装置を動作させる点検モードに切り換える点検スイッチとが電気部品７として収納されており、停電時にもランプ６を点灯させることができる非常灯としての機能を実現している。本実施形態では、これらの電気部品７の保守・点検および蓄電池の交換などを可能とするために、蓋体４の一部であるエンドキャップ１３を開閉可能としている。エンドキャップ１３は、蓋体４が器体３に取り付けられた状態で容器５の左右両端となる位置に設けられており、ここでは、容器５の内部で爆発が生じても外れないように、エンドキャップ１３を外した状態の蓋体４本体の内周面およびエンドキャップ１３の外周面にねじ溝を設け、蓋体４本体とエンドキャップ１３とを螺合させている。
【００２３】
本実施形態では、図４に示すように、両蓋体４は剛性を有する連結部材１１に対して共に結合されており、両蓋体４の相対的な位置が固定されている。つまり、両蓋体４間の距離は一定であって、仮に容器５の内部で爆発が生じたとしても、両蓋体４が器体３から外れることはない。さらに、本実施形態では、連結部材１１は、ランプ６からの光を反射する反射板を兼ねている。
【００２４】
また、容器５内で爆発が生じたときには、図５に示す矢印の向きに圧力がかかるので、器体３の左右各端部が変形すると、両蓋体４において連結部材１１から離れた上端部間の距離（両吊具用台１０間の距離ｄ）が広がることが考えられる。そこで、本実施形態では、図６に示すように、器体５の外周面に沿って延出された包囲部１４を各蓋体４にそれぞれ設け、挿入部８と包囲部１４との間に器体３の各端部を挟み込むことによって器体３の各端部の変形を防止している。つまり、蓋体４は、挿入部８と包囲部１４との間に器体３の左右各端部が差し込まれる差込溝１５を形成している。差込溝１５は、全周に亘って形成されている。
【００２５】
ところで、本実施形態では、容器５内に収納される電気部品７を固定する部材として、厚み方向の一面に電気部品７が取り付けられるとともに、電気部品７が取り付けられた一面を上方に向けて容器５内に収納される取付板１６を用いている。取付板１６は、容器５内において両蓋体４間に跨るように容器５の軸方向に長く形成されており、幅方向の両端部は下方に折曲されて補強片１７を構成している。
【００２６】
取付板１６は、図１（ｄ）に示すように、長手方向の一方（ここでは右方）の端縁から下方に延出された固定部１８を有しており、固定部１８には透孔１９（図６参照）が貫設されている。この透孔１９を通して右側の蓋体４の一部に設けたねじ孔２０に固定ねじ２１を螺合させることによって、取付板１６は右側の蓋体４に固定される。また、取付板１６における長手方向の他方（ここでは左方）の端部は、左側の蓋体４の一部に設けた嵌合溝２２に差し込まれて嵌合する嵌合部２３であって、嵌合部２３を嵌合溝２２に嵌合させることにより取付板１６が左側の蓋体４に固定される。
【００２７】
この構成によって、取付板１６は、両蓋体４の間に架設される形で容器５に固定されることになる。なお、本実施形態では両蓋体４の形状を共通としており、ねじ孔２１および嵌合溝２２は左右いずれの蓋体４にも設けられている。ねじ孔２１は挿入部８に形成されており、嵌合溝２２は挿入部８に囲まれた部位に形成されている。
【００２８】
以下では、上述した防爆器具１の組み立て方について図１を参照して説明する。
【００２９】
まず、取付板１６に対して点灯装置などの電気部品７を固定する（図１では電気部品７を省略する）。そして、図１（ａ）に示すように、取付板１６の固定部１８を図の右側の蓋体４に対して固定ねじ２１により固定する。この状態で、図１（ｂ）に示すように、取付板１６を嵌合部２３側の一端部から器体３内に挿入し、図の右側の蓋体４を器体３に取り付けることにより、取付板１６が器体３に取り付けられることになる。
【００３０】
その後、図１（ｃ）に示すように、図の左側の蓋体４を器体に取り付ける。このとき、図の左側の蓋体４における嵌合溝２２に取付板１６の嵌合部２３が嵌合し、取付板１６が容器５内に固定されることになる。そして、図１（ｄ）に示すように、上述した結合台１２を連結部材１１上に配置した状態で、ねじやリベットなどの固定部材（図示せず）を結合台１２の固定孔３２を通して連結部材１１に固定することによって、蓋体４と連結部材１１とが結合され、防爆器具１の組み立てが完了する。
【００３１】
本実施形態の防爆照明器具は、図７に示すように、上述した防爆器具１に加えて、反射板を兼ねた連結部材１１の下方に２個のランプ容器２４が並設された構成を有する。さらに、連結部材１１と共に一対のランプ容器２４を囲むガード網２５が連結部材１１に取り付けられる。各ランプ容器２４はそれぞれ、透光性を有する材料から形成され左右方向（軸方向）の両端面が開口した円筒状のランプシリンダ２６と、ランプ６を保持するソケット２７（図８参照）を収納しランプシリンダ２６の左右各端面をそれぞれ密閉する一対のソケットホルダ２８とで構成され、上述した容器５とほぼ同形状に形成されている。ここで、見映えが良くなるように、容器５とランプ容器２４とは外径寸法および軸方向の長さ寸法についても同等にしてある。
【００３２】
両ソケットホルダ２８は、連結部材１１に固定されており、仮にランプ容器２４内で爆発が生じてもソケットホルダ２８がランプシリンダ２６から外れることはない。また、図８に示すように、ソケットホルダ２８内には、ランプシリンダ２６に挿通されたランプ６の口金２９（図２参照）をソケット２７に保持されるように案内するランプガイド３０が設けられる。さらに、上述した蓋体４と同様に開閉自在のエンドキャップ１３がソケットホルダ２８にも設けられている。エンドキャップ１３とソケット２７との間に設けられたコイルばね３１は、ランプ６の口金２９とソケット２７との接触圧を確保するものである。
【００３３】
なお、本発明は上述したような非常灯としての機能を有した防爆照明器具に限らず、蓄電池等を備えない防爆照明器具や、その他の防爆器具に採用することもできる。
【図面の簡単な説明】
【００３４】
【図１】本発明の実施形態における防爆器具の組み立て方を示す説明図である。
【図２】同上の防爆照明器具を示し、（ａ）は正面図、（ｂ）は側面図である。
【図３】同上の防爆器具を示す分解斜視図である。
【図４】同上の防爆照明器具を示す斜視図である。
【図５】同上の防爆器具の他の構成を示す断面図である。
【図６】同上の防爆器具の要部を示す斜視図である。
【図７】同上の防爆照明器具を示す分解斜視図である。
【図８】同上の防爆照明器具の要部を示す分解斜視図である。
【図９】従来例を示し、（ａ）は正面図、（ｂ）は側面図である。
【図１０】同上の防爆器具の組み立て方を示す説明図である。
【符号の説明】
【００３５】
１  防爆器具
３  器体
４  蓋体
６  ランプ
７  電気部品
８  挿入部
１１  連結部材
１４  包囲部
１５  差込溝
１６  取付板
１８  固定部
２２  嵌合溝
２３  嵌合部
２４  ランプ容器
２７  ソケット
【図１】
2006244964.tif 000003
【図２】
2006244964.tif 000004
【図３】
2006244964.tif 000005
【図４】
2006244964.tif 000006
【図５】
2006244964.tif 000007
【図６】
2006244964.tif 000008
【図７】
2006244964.tif 000009
【図８】
2006244964.tif 000010
【図９】
2006244964.tif 000011
【図１０】
2006244964.tif 000012